(57)【要約】【課題】メモリーカードの異形部及び面取り部を効率良く形成して生産性を向上させる。【解決手段】固定治具１の第一の挿入孔列１１ａではメモリーカード２０の第一の側部２０ａを切削可能な状態で固定し、第二の挿入孔列１１ｂではメモリーカード２０の第二の側部２０ｂを切削可能な状態で固定し、その固定治具１を成形装置の移動テーブルにおいて保持した状態で、第一の切削手段３３と第二の切削手段３４とを用いてメモリーカードの第一の側部２０ａと第二の側部２０ｂとを同時に成形することができるため、第一の側部２０ａと第二の側部２０ｂとをそれぞれ第一の切削手段３３と第二の切削手段３４とで切削した後に、第一の挿入孔列１１ａと第二の挿入孔列１１ｂの整列方向の中間の対称軸２ａを基準として固定治具１の表裏を反転させて、第二の側部２０ｂと第一の側部２０ａとをそれぞれ第二の切削手段３４と第一の切削手段３３とで切削する。【選択図】図１
2007328492.tif 000002
【特許請求の範囲】
【請求項１】
メモリーカードの側部を成形する切削砥石を有する切削手段と、該メモリーカードを固定する固定治具と、該固定治具を保持する保持部を備えた移動テーブルとを少なくとも備えたメモリーカード成形装置であって、
該切削手段は、メモリーカードの第一の側部を成形する第一の切削砥石を有する第一の切削手段と、該メモリーカードの第二の側部を成形する第二の切削砥石を有する第二の切削手段とから構成され、
該固定治具は、該移動テーブルの保持部に着脱自在に保持される被保持部と、メモリーカードが挿入される挿入孔が複数整列して形成された第一の挿入孔列と、該第一の挿入孔列に併設されメモリーカードが挿入される挿入孔が複数整列して形成された第二の挿入孔列と、該第一の挿入孔列に挿入されたメモリーカードを固定する第一の固定部と、該第二の挿入孔列に挿入されたメモリーカードを固定する第二の固定部とを含み、該第一の挿入孔列及び該第二の挿入孔列の整列方向の中間の対称軸を基準として対称に形成され、
該被保持部は、該固定治具の表面及び裏面に形成され、該第一の挿入孔列と該第二の挿入孔列に挿入されたメモリーカードの第一の側部と第二の側部とを表裏面から露出させるメモリーカード成形装置。
【請求項２】
請求項１に記載のメモリーカード成形装置を用いてメモリーカードを成形するメモリーカードの成形方法であって、
前記第一の切削手段及び前記第二の切削手段によって、前記固定治具に形成された第一の挿入孔列及び第二の挿入孔列に固定されたメモリーカードの第一の側部及び第二の側部を切削し、該第一の側部及び該第二の側部を所望の形状に成形する第一の成形工程と、
該固定治具の表裏を、該第一の挿入孔列及び該第二の挿入孔列の整列方向の中間の対称軸を基準として反転させ、該第一の切削手段及び該第二の切削手段によって、該第二の挿入孔列及び該第一の挿入孔列に固定されたメモリーカードの第二の側部及び第一の側部を切削し、該第二の側部及び該第一の側部を所望の形状に成形する第二の成形工程とから構成されるメモリーカードの成形方法。
【発明の詳細な説明】
【技術分野】
【０００１】
本発明は、電子機器のカードスロットに挿入して使用されるメモリーカードを製造する際に用いる成形装置及び成形方法に関するものである。
【背景技術】
【０００２】
各種電子機器のカードスロットに挿入して使用されるＳＤカード（登録商標）、ｍｉｎｉＳＤ（登録商標）等のメモリーカードは、配線基板にメモリー素子が実装され、モールド樹脂によって被覆されて形成されている（例えば特許文献１参照）。かかるメモリーカードは、１枚の配線基板にメモリー素子が格子状に実装され全体がモールド樹脂によって被覆されてパッケージ基板が形成された後に、パッケージ基板のメモリー素子間の領域を切削等して分離させることにより形成される。また、メモリーカードの形状は規格化されており、挿入の際の表裏及び前後方向を特定するための異形部が形成される。また、異形部が形成されない角部には面取り加工が施される。
【０００３】
【特許文献１】特開２００３−４４８０４号公報
【発明の開示】
【発明が解決しようとする課題】
【０００４】
しかし、パッケージ基板を切削等により分割した段階では、異形部及び面取り部が形成されていないため、個々のメモリーカードごとにレーザー加工、ルーター加工等により異形部及び面取り部を形成しなければならず、生産性が低いという問題がある。
【０００５】
そこで、本発明が解決しようとする課題は、メモリーカードにおける異形部及び面取り部を効率良く形成して生産性を向上させることにある。
【課題を解決するための手段】
【０００６】
第一の発明は、メモリーカードの側部を成形する切削砥石を有する切削手段と、メモリーカードを固定する固定治具と、固定治具を保持する保持部を備えた移動テーブルとを少なくとも備えたメモリーカード成形装置に関するもので、切削手段は、メモリーカードの第一の側部を成形する第一の切削砥石を有する第一の切削手段と、メモリーカードの第二の側部を成形する第二の切削砥石を有する第二の切削手段とから構成され、固定治具は、移動テーブルの保持部に着脱自在に保持される被保持部と、メモリーカードが挿入される挿入孔が複数整列して形成された第一の挿入孔列と、第一の挿入孔列に併設されメモリーカードが挿入される挿入孔が複数整列して形成された第二の挿入孔列と、第一の挿入孔列に挿入されたメモリーカードを固定する第一の固定部と、第二の挿入孔列に挿入されたメモリーカードを固定する第二の固定部とを含み、第一の挿入孔列及び第二の挿入孔列の整列方向の中間の対称軸を基準として対称に形成され、被保持部は、固定治具の表面及び裏面に形成され、第一の挿入孔列と第二の挿入孔列に挿入されたメモリーカードの第一の側部と第二の側部とを表裏面から露出させることを特徴とする。
【０００７】
第二の発明は、上記メモリーカード成形装置を用いてメモリーカードを成形するメモリーカードの成形方法に関するもので、第一の切削手段及び第二の切削手段によって、固定治具に形成された第一の挿入孔列及び第二の挿入孔列に固定されたメモリーカードの第一の側部及び第二の側部を切削し、第一の側部及び第二の側部を所望の形状に成形する第一の成形工程と、該固定治具の表裏を、第一の挿入孔列及び第二の挿入孔列の整列方向の中間の対称軸を基準として反転させ、第一の切削手段及び第二の切削手段によって、第二の挿入孔列及び第一の挿入孔列に固定されたメモリーカードの第二の側部及び第一の側部を切削し、第二の側部及び第一の側部を所望の形状に成形する第二の成形工程とから構成されることを特徴とする。
【発明の効果】
【０００８】
本発明では、固定治具の第一の挿入孔列ではメモリーカードの第一の側部を切削可能な状態で固定し、第二の挿入孔列ではメモリーカードの第二の側部を切削可能な状態で固定し、その固定治具を成形装置の移動テーブルにおいて保持した状態で、第一の切削手段と第二の切削手段とを用いてメモリーカードの第一の側部と第二の側部とを同時に成形することができるため、第一の側部と第二の側部とをそれぞれ第一の切削手段と第二の切削手段とで切削した後に、固定治具の表裏を反転させて、第二の側部と第一の側部とをそれぞれ第二の切削手段と第一の切削手段とで切削することにより、効率よく所望形状のメモリーカードを成形することができる。
【発明を実施するための最良の形態】
【０００９】
図１に示す固定治具１は、メモリーカードの側部の成形時にメモリーカードを保持する治具であり、治具本体２と、ステンレス等の硬質材料によって形成され治具本体２に収容される第一の固定部３及び第二の固定部４と、治具本体２に収容される硬質ウレタン等の弾性材料からなる緩衝部材５と、治具本体２に取り付けられる第一の支持部材６及び第二の支持部材７と、第一の支持部材６及び第二の支持部材７を固定するネジ８と、治具本体１に収容されるバネ９とを有している。
【００１０】
治具本体２は、成形装置に着脱自在に保持される表面側の被保持部１０ａ及び裏面側の被保持部１０ｂと、メモリーカードが挿入されるメモリーカード挿入孔１１が一列に整列して形成された第一の挿入孔列１１ａと、第一の挿入孔列１１ａに平行に併設されメモリーカードが挿入されるメモリーカード挿入孔１１が一列に整列して形成された第二の挿入孔列１１ｂと、第一の固定部３及び第二の固定部４が収容される第一の固定部収容孔１２及び第二の固定部収容孔１３と、緩衝部材５が収容される緩衝部材収容孔１４と、バネ９を収容するバネ収容部１５と、ネジ８を螺合させるネジ穴１６とを備えている。また、治具本体２の表面及び裏面には、第一の固定部３及び第二の固定部４をスライドさせるための開閉長孔１７と、固定治具１を成形装置に固定する際の位置合わせ用の位置決め穴１８とが複数形成されている。更に、第一の支持部材６及び第二の支持部材７には、ネジ８を貫通させるための貫通孔１９が複数形成されている。固定治具１は、第一の挿入孔列１０ａ及び第二の挿入孔列１０ｂの整列方向（図示の例では長手方向）の中間の対称軸２ａを基準として対称に形成されている。
【００１１】
第一の固定部３及び第二の固定部４においては、緩衝部材５の方に向く側面に硬質ウレタン等の弾性部材３ａ、４ａがそれぞれ固着されており、表裏を貫通する係合孔３ｂ、４ｂがそれぞれ形成されている。
【００１２】
図２に示すように、第一の挿入孔列１１ａ及び第二の挿入孔列１１ｂを構成する個々のメモリーカード挿入孔１１には、成形前のメモリーカード２０が挿入される。メモリーカード２０は、第一の側部２０ａ及び第二の側部２０ｂを有している。
【００１３】
図示の例では、個々のメモリーカード挿入孔１１は、メモリーカード２０を２つの向きに挿入できる形状となっており、第一の挿入孔列１１ａと第二の挿入孔列１１ｂとでは、挿入されるメモリーカード２０の向きが異なっている。図示の例では、第一の挿入孔列１１ａを構成するメモリーカード挿入孔１１に挿入されるメモリーカード２０は第一の側部２０ａが上方に露出するように挿入され、第二の挿入孔列１１ｂを構成するメモリーカード挿入孔１１に挿入されるメモリーカード２０は第二の側部２０ｂが上方に露出するように挿入されている。なお、第一の挿入孔列１１ａを構成するメモリーカード挿入孔１１に挿入されるメモリーカード２０を第二の側部２０ｂが上方に露出するようにすると共に、第二の挿入孔列１１ｂを構成するメモリーカード挿入孔１１に挿入されるメモリーカード２０を第一の側部２０ａが上方に露出するようにしてもよい。
【００１４】
一方、メモリーカード挿入孔１１は表裏面を貫通しているため、第一の挿入孔列１１ａに収容されたメモリーカード２０は第二の側部２０ｂが固定治具１の裏面から突出して露出し、第一の挿入孔列１１ａに収容されたメモリーカード２０は第一の側部２０ｂが固定治具１の裏面から露出する。
【００１５】
第一の挿入孔列１１ａに収容されたメモリーカード２０は、緩衝部材５と第一の固定部３との間に入り込み、第二の挿入孔列１１ｂに収容されたメモリーカード２０は、緩衝部材５と第二の固定部材４との間に入り込む。メモリーカード２０は、第一の固定部３及び第二の固定部４の互いの距離を拡張させるためのピンを開閉長孔１７に差し込み、そのピンを係合孔３ｂ、４ｂに係合させて第一の固定部３と第二の固定部４とが離れる方向に引っ張り、バネ９の付勢力に抗して第一の固定部３及び第二の固定部４を互いに離れる方向に若干移動させた状態で、第一の挿入孔列１１ａ及び第二の挿入孔列１１ｂを構成するメモリーカード挿入孔１１に挿入される。そして、当該ピンを取り外すと、バネの付勢力によって、第一の挿入孔列１１ａを構成するメモリーカード挿入孔１１に挿入されたメモリーカード２０が緩衝部材５と第一の固定部３とによって挟持され、第二の挿入孔列１１ｂを構成するメモリーカード挿入孔１１に挿入されたメモリーカード２０が緩衝部材５と第二の固定部４とによって挟持され、いずれも安定した状態となる。
【００１６】
図２及び図３に示したようにして複数のメモリーカード２０が挿入された固定治具１は、例えば図４に示すメモリーカード成形装置３０におけるメモリーカードの成形に用いられる。このメモリーカード成形装置３０は、メモリーカードの側部を成形する切削手段３１と、固定治具１を保持してＸ軸方向に移動可能な移動テーブル３２とを備えている。
【００１７】
移動テーブル３２は、Ｘ軸方向に移動可能であるとともに回転可能となっており、図５に示すように、固定治具１を保持する着脱自在な保持部３２０を備えている。保持部３２０は、例えば多孔質の吸引部３２１を有しており、吸引部３２１は移動テーブル３２の下方に設けられた図示しない吸引源と連通している。また、保持部３２０の上面には、載置される固定治具１に形成された位置決め穴１８（図１参照）に対応する位置決め突起３２２が形成されており、位置決め突起３２２に位置決め穴１８を嵌合させた状態で、保持部３２０に固定治具１が載置され、吸引部３２１において固定治具１が吸引されて保持される。このとき、メモリーカード２０の整列方向はＸ軸方向と一致する
【００１８】
図４の例では、切削手段３１は、メモリーカード２０の第一の側部２０ａを成形する第一の切削手段３３と、メモリーカード２０の第二の側部２０ｂを成形する第二の切削手段３４とから構成される。
【００１９】
図４に示すように、第一の切削手段３３では、第一のハウジング３３０によって第一のスピンドル３３１が回転可能に支持されている。図６に示すように、第一の切削手段３３は、第一のスピンドル３３０を貫通させる貫通孔を有する円筒状の第一のホイール３３２の外周に、電着等によって第一の切削砥石３３３が固着された構成となっており、第一のホイール３３２が第一のスピンドル３３１に嵌合し、ナット３３４によって固定されて構成される。第一の切削砥石３３３は、例えばダイヤモンド砥粒等の砥粒をニッケルめっき等で固定して構成され、メモリーカード２０の第一の側部２０ａの所望の形状に対応する側面形状を有している。
【００２０】
図４に示すように、第二の切削手段３４では、第二のハウジング３４０によって第二のスピンドル３４１が回転可能に支持されている。図７に示すように、第二の切削手段３４は、第二のスピンドル３４１を貫通させる貫通孔を有する円筒状の第二のホイール３４２の外周に、電着等によって第二の切削砥石３４３が固着された構成となっており、第二のホイール３４２が第二のスピンドル３４１に嵌合し、ナット３４４によって固定されて構成される。第二の切削砥石３４３は、例えばダイヤモンド砥粒等の砥粒をニッケルめっき等で固定して構成され、メモリーカード２０の第二の側部２０ｂの所望の形状に対応する側面形状を有している。
【００２１】
メモリーカード２０は、最終的には第一の側部２０ａと第二の側部２０ｂの形状が異なる非対称形に成形されるため、第一の切削砥石３３３と第二の切削砥石３４３とは、その側面形状が異なる。
【００２２】
図４に示すように、移動テーブル３２の移動経路の上方には、アライメント手段３５が配設されている。アライメント手段３５は、撮像部３５０を備えており、固定治具１を撮像してその特定の領域を検出することにより、移動テーブル３２に保持された固定治具１の角度調整や、第一の切削手段３３及び第二の切削手段３４のＹ軸方向の位置決めを行い、固定治具１に固定されたメモリーカード２０との関係における位置合わせをする。
【００２３】
メモリーカード２０を所望の形状に成形する際には、図３に示したように、第一の挿入孔列１１ａを構成する各メモリーカード挿入孔１１には、第一の側部２０ａが固定治具１の表面側から露出した状態でメモリーカード２０が挿入される。このとき、第二の側部２０ｂは、固定治具１の裏面側から露出する。一方、第二の挿入孔列１１ｂを構成する各メモリーカード挿入孔１１には、第二の側部２０ｂが固定治具１の表面側から露出した状態でメモリーカード２０が挿入され、第一の側部２０ａは、固定治具１の裏面側から露出する。
【００２４】
そして、固定治具１の被保持部１０ｂ側が移動テーブル３２の保持部３２０に保持され、移動テーブル３２をＸ軸方向に移動させて、アライメント手段３５の直下に移動させ、保持部３２０の角度の微調整や、第一の挿入孔列１１ａに固定されたメモリーカード２０と第一の切削砥石３３３とのＹ軸方向の位置合わせ及び第二の挿入孔列１１ｂに固定されたメモリーカード２０と第二の切削砥石３４３とのＹ軸方向の位置合わせが行われる。すなわち、図８に示すように、第一の挿入孔列１１ａを構成するメモリーカード挿入孔１１に保持されたメモリーカード２０の移動経路の直上に第一の切削砥石３３３を位置させると共に、第二の挿入孔列１１ｂを構成するメモリーカード挿入孔１１に保持されたメモリーカード２０の移動経路の直上に第二の切削砥石３４３を位置させる。
【００２５】
その後、移動テーブル３２が、図４に示した＋Ｘ方向に移動すると共に、第一の切削砥石３３３及び第二の切削砥石３４３が高速回転しながら第一の切削手段３３及び第二の切削手段３４が下降し、図９に示すように、第一の切削砥石３３３は、第一の挿入孔列１１ａに固定され上方に露出した複数のメモリーカード２０の第一の側部２０ａに接触し、第二の切削砥石３４３は、第二の挿入孔列１１ｂに固定され上方に露出した複数のメモリーカード２０の第二の側部２０ｂに接触する。そうすると、第一の挿入孔列１１ａに固定されたメモリーカード２０の第一の側部２０ａには、第一の切削砥石３３３の形状が転写され、第一の挿入孔列１１ｂに固定されたメモリーカード２０の第二の側部２０ｂには、第二の切削砥石３４３の形状が転写される（第一の成形工程）。
【００２６】
次に、図５に示した保持部３２０から固定治具１を取り外し、第一の挿入孔列１１ａと第二の挿入孔列１１ｂの整列方向の中間の対称軸２ａを基準として固定治具１の表裏を反転させてから、固定治具１の被保持部１０ａ側を保持部３２０に保持させる。このとき、図１０に示すように、第一の挿入孔列１１ａに固定されたメモリーカード２０については第二の側部２０ｂが上方に露出し、第二の挿入孔列１１ｂに固定されたメモリーカード２０については第一の側部２０ａが上方に露出した状態となる。また、固定治具１は、第一の挿入孔列１１ａ及び第二の挿入孔列１１ｂの整列方向の中間を基準として対称に形成されているため、裏返すことにより、第一の切削砥石３３３の下方に第二の挿入孔列１１ｂに固定されたメモリーカード２０が位置し、第二の切削砥石３４３の下方に第一の挿入孔列１１ａに固定されたメモリーカード２０が位置する。したがって、第一の切削砥石３３３及び第二の切削砥石３４３のＹ軸方向の位置を変更する必要がない。
【００２７】
そしてその状態で、必要に応じて保持部３２０の向きの微調整等を行った後に、図１０に示すように、第一の挿入孔列１１ａに保持されたメモリーカード２０については第二の側部２０ｂに第二の切削砥石３４３を接触させ、第二の挿入孔列１１ｂに保持されたメモリーカード２０については第一の側部２０ａに第一の切削砥石３３３を接触させる。そうすると、メモリーカード２０の第二の側部２０ｂには第二の切削砥石３４３の形状が転写され、メモリーカード２０の第一の側部２０ａには第一の切削砥石３３３の形状が転写される（第二の成形工程）。なお、固定治具１が精密に形成されていれば、保持部３２０の向きの微調整は必ずしも必要とされない。
【００２８】
このようにして、すべてのメモリーカード２０ａについて、第一の側部２０ａ及び第二の側部２０ｂに第一の切削砥石３３３及び第二の切削砥石３４３の形状が転写され、図１１に示す所望の形状のメモリーカード２１となる。このメモリーカード２１においては、４つの角が面取りされており、そのうちの２つの面取り部２１０、２１１は、第一の切削砥石３３３の形状が転写されて形成されたものである。一方、残りの２つの面取り部２１２、２１３は、第二の切削砥石３４３の形状が転写されて形成されたものである。また、第二の側部２０ｂには異形部２１４が形成されており、この異形部２１４は、第二の切削砥石３４３の形状が転写されて形成されたものである。
【００２９】
以上のようにして、固定治具１における第一の挿入孔列１１ａと第二の挿入孔列１１ｂとでメモリーカード２０を保持し、それぞれの側部をそれぞれ第一の切削砥石３３３及び第二の切削砥石３４３で切削した後に、固定治具１を反転して同様の切削を行うことにより、メモリーカードの２つの側部を効率よく成形することができる。
【図面の簡単な説明】
【００３０】
【図１】固定治具の一例を示す分解斜視図である。
【図２】固定治具に成形前のメモリーカードを挿入する状態を示す斜視図である。
【図３】固定治具に成形前のメモリーカードを挿入した状態を略示的に示す断面図である。
【図４】メモリーカード成形装置の一例を示す斜視図である。
【図５】メモリーカード成形装置の移動テーブル及び固定治具を示す斜視図である。
【図６】第一の切削手段を略示的に示す断面図である。
【図７】第二の切削手段を略示的に示す断面図である。
【図８】第一の切削砥石及び第二の切削砥石を位置合わせした状態を示す正面図である。
【図９】第一の成形工程を示す正面図である。
【図１０】第二の成形工程を示す正面図である。
【図１１】成形されたメモリーカードを示す正面図である。
【符号の説明】
【００３１】
１：固定治具
２：治具本体  ２ａ：対称軸
３：第一の固定部  ４：第二の固定部  ５：緩衝部材
６：第一の支持部材  ７：第二の支持部材  ８：ネジ  ９：バネ
１０ａ、１０ｂ：被保持部  １１：メモリーカード挿入孔
１１ａ：第一の挿入孔列  １１ｂ：第二の挿入孔列
１２：第一の固定部収容孔  １３：第二の固定部収容孔  １４：緩衝部材収容孔
１５：バネ収容部  １６：ネジ穴  １７：開閉長孔  １８：位置決め穴  １９：貫通孔
２０：メモリーカード  ２０ａ：第一の側部  ２０ｂ：第二の側部
３０：メモリーカード成形装置
３１：切削手段  ３２：移動テーブル
３２０：保持部  ３２１：吸引部  ３２２：位置決め突起
３３：第一の切削手段
３３０：第一のハウジング  ３３１：第一のスピンドル  ３３２：第一のホイール
３３３：第一の切削砥石  ３３４：ナット
３４：第二の切削手段
３４０：第二のハウジング  ３４１：第二のスピンドル  ３４２：第二のホイール
３４３：第二の切削砥石  ３４４：ナット  ３５：アライメント手段  ３５０：撮像部
【図１】
2007328492.tif 000003
【図２】
2007328492.tif 000004
【図３】
2007328492.tif 000005
【図４】
2007328492.tif 000006
【図５】
2007328492.tif 000007
【図６】
2007328492.tif 000008
【図７】
2007328492.tif 000009
【図８】
2007328492.tif 000010
【図９】
2007328492.tif 000011
【図１０】
2007328492.tif 000012
【図１１】
2007328492.tif 000013